(57)【特許請求の範囲】
【請求項１】
上ケースと下ケースとにより制御基板を収容する収納空間が構成されており、上ケースと下ケースとの突き合わせ部に、ケース開放操作によって切断する封印シールを貼り付けるためのシール貼り付け面が形成されているとともに、このシール貼り付け面に貼り付けた封印シールの全部又は一部を被覆する透明なカバー部材が装着されてなる遊技機用制御基板ケースにおいて、
上記カバー部材は、上ケース又は下ケースに分離不能に結合する結合部を有し、この結合部又はその近傍を外部より工具を用いて切断することで取り外し可能に設けられているとともに、その切断部分が痕跡として外部から目視可能に設けられており、
また、上記カバー部材は、突き合わせ部への装着状態で上ケース及び下ケースの開放操作を規制するように設けられており、
上記上ケースと下ケースとは、閉状態から突き合わせ面に沿って所定距離相対移動させることで結合が解除可能になっており、この上ケース及び下ケースには、閉状態で両者に跨って延びる穴部が形成されている一方、上記カバー部材は、この穴部に挿入可能なロックピン部を有し、このロックピン部が穴部に挿入されることで上ケース及び下ケースの開放操作を規制するようになっていることを特徴とする遊技機用制御基板ケース。
【請求項２】
上記上ケースと下ケースとは、上記シール貼り付け面と異なる箇所で締結具を介して分離不能に結合されている請求項１記載の遊技機用制御基板ケース。
【請求項３】
上記上ケース及び下ケースの各突き合わせ部にはそれぞれ側方に突出しかつ互いに横並びに隣接する突出部が形成されており、上記シール貼り付け面は、この両突出部に跨って形成されているとともに、このシール貼り付け面に貼り付けた封印シールは、ケース開放操作によって少なくとも一部が剪断力を受けるように設けられている請求項１又は２記載の遊技機用制御基板ケース。
【請求項４】
上記封印シールは、箔状アンテナを介して外部機器と通信可能な通信部を有し、箔状アンテナは、封印シールの切断に伴い破断するようになっている請求項１ないし請求項３のいずれか一つに記載の遊技機用制御基板ケース。
【発明の詳細な説明】
【技術分野】
【０００１】
本発明は、パチンコ機やスロットマシンなどの遊技機に装備される制御基板を収納する遊技機用制御基板ケースに関する。
【背景技術】
【０００２】
一般に、パチンコ機やスロットマシンなどの遊技機においては、ＣＰＵやＲＯＭなどの電子部品を実装した制御基板により、遊技に関連して種々の制御が行われているが、制御基板の制御プログラムを記憶するＲＯＭを不正なものに交換したり、外部から制御基板に対し不正な信号付与したりするなどの不正な行為を防止する必要がある。
【０００３】
そのための対策として、従来、制御基板を、透明な上ケースと下ケースとからなる制御基板ケース内に収納し、ケースの閉状態で上ケースと下ケースとをワンウエイネジなどの締結具を用いて分離不能に結合するいわゆるカシメ構造が通常採用されている。このカシメ構造は、制御基板ケースを容易に開放できないだけでなく、仮に開放された場合でも破壊の痕跡が残り、不正行為を容易に発見できるという利点がある。
【０００４】
また、カシメ構造とは別に、あるいは併用して、上ケースと下ケースとの突き合わせ部に封印シールを貼り付け、ケースが不正に開放された場合に封印シールが切断することで不正開放が判別できるようにすることが多く採用されている。特に、近年の封印シールとしては、例えば特許文献１に開示されているように、箔状アンテナを介して外部機器と通信可能なＩＣチップなどからなる通信部を有するいわゆるＩＣタグが用いられ、この種の封印シールの場合、ケースの不正開放によって封印シールが切断すると箔状アンテナも破断し、通信部からの通信が不能になり、警告が発せられるようになっている。
【０００５】
ところで、上記封印シールは、ケースの不正開放の検出を主目的とするものであるが、遊技機メーカーからホールへの運搬中に傷付いたり切断したりするとその機能を発揮できなくなる。また、ケースを不正に開放し、制御基板やＲＯＭを改造した後、偽シールと張り替えるなどの不正行為も容易に予測される。そこで、例えば特許文献２に開示されているように、封印シールを覆って保護するための透明なカバー部材を設けることがある。
【先行技術文献】
【特許文献】
【０００６】
【特許文献１】特開２００７−１９６０４５号公報
【特許文献２】特開２００７−３１２９１６号公報
【発明の概要】
【発明が解決しようとする課題】
【０００７】
しかしながら、上記封印シール用のカバー部材は、制御基板ケースのカシメ構造とは別に、上ケース又は下ケースに対し、固定ネジや封止キャップなどの締結具を用いて分離不能に結合されるようになっているため、その分部品点数が多くなり、製造コストの高騰を招くとともに、制御基板ケースの組立作業の工数が増加するという問題があった。
【０００８】
本発明はかかる点に鑑みてなされたものであり、その課題とするところは、上述した封印シール用のカバー部材に対し、上ケースと下ケースとを分離不能に結合するカシメ構造の機能を兼備させることにより、部品点数を少なくし、製造コストの低廉化及び組立作業工数の減少化を図り得る遊技機用制御基板ケースを提供せんとするものである。
【課題を解決するための手段】
【０００９】
上記の課題を解決するため、請求項１に係る発明は、遊技機用制御基板ケースとして、上ケースと下ケースとにより制御基板を収容する収納空間が構成されており、上ケースと下ケースとの突き合わせ部に、ケース開放操作によって切断する封印シールを貼り付けるためのシール貼り付け面が形成されているとともに、このシール貼り付け面に貼り付けた封印シールの全部又は一部を被覆する透明なカバー部材が装着されていることを前提とする。そして、上記カバー部材を、上ケース又は下ケースに分離不能に結合する結合部を有し、この結合部又はその近傍を外部より工具を用いて切断することで取り外し可能に設けるとともに、その切断部分が痕跡として外部から目視可能に設ける。また、上記カバー部材を、突き合わせ部への装着状態で上ケース及び下ケースの開放操作を規制するように設ける構成にする。
【００１０】
この構成では、カバー部材がその結合部で上ケース又は下ケースに分離不能に結合して上ケースと下ケースとの突き合わせ部に装着されているとき、上ケース及び下ケースの開放操作は、カバー部材により規制されるため、従来の如く上ケースと下ケースとを分離不能に結合するカシメ構造を省略あるいはその個数を少なくすることができる。
【００１１】
一方、カバー部材の結合部又はその近傍を外部より工具を用いて切断してカバー部材を取り外すと、カバー部材による上ケース及び下ケースの開放操作の規制が解消されるため、ケース開放をも行うことができる。
【００１２】
請求項１に係る発明は、上述した構成に加えて、上記カバー部材により上ケース及び下ケースの開放操作を規制する一つの具体的な形態を提供するものである。すなわち、上記上ケースと下ケースとは、閉状態から突き合わせ面に沿って所定距離相対移動させることで結合が解除可能になっており、この上ケース及び下ケースには、閉状態で両者に跨って延びる穴部が形成されている一方、上記カバー部材は、この穴部に挿入可能なロックピン部を有し、このロックピン部が穴部に挿入されることで上ケース及び下ケースの開放操作を規制するようになっている構成にする。
【００１３】
請求項２に係る発明は、請求項１記載の遊技機用制御基板ケースにおいて、上記上ケースと下ケースとを、上記シール貼り付け面と異なる箇所で締結具を介して分離不能に結合する構成にする。この構成では、上ケースと下ケースとは、カバー部材により開放操作が規制されるだけでなく、このカバー部材の装着箇所であるシール貼り付け面と異なる箇所でも締結具を介して分離不能に結合されるため、その分ケースの不正開放を防止することができる。
【００１４】
請求項３に係る発明は、請求項１又は２記載の遊技機用制御基板ケースにおいて、上記上ケース及び下ケースの各突き合わせ部に、それぞれ側方に突出しかつ互いに横並びに隣接する突出部を形成し、上記シール貼り付け面を、この両突出部に跨って形成するとともに、このシール貼り付け面に貼り付けた封印シールを、ケース開放操作によって少なくとも一部が剪断力を受けるように設ける構成にする。この構成では、シール貼り付け面に貼り付けた封印シールは、ケース開放操作、特に不正な開放操作によって少なくとも一部が剪断力を受けて確実に切断するようになっているため、制御基板ケースの不正開放を容易にかつ確実に目視することができる。
【００１６】
請求項４に係る発明は、請求項１ないし請求項３のいずれか一つに記載の遊技機用制御基板ケースにおいて、上記封印シールは、箔状アンテナを介して外部機器と通信可能な通信部を有し、箔状アンテナは、封印シールの切断に伴い破断するようになっている構成にする。この構成では、ケースの不正開放時には封印シールが切断し、その目視によって不正開放を検出できるだけでなく、封印シールの切断に伴い箔状アンテナが破断し、それにより通信部からの通信が不能になり、警告が発せられるようになる。
【発明の効果】
【００１７】
以上のように、本発明の遊技機用制御基板ケースによれば、封印シール用のカバー部材をその結合部で上ケース又は下ケースに分離不能に結合して上ケースと下ケースとの突き合わせ部に装着したとき、上ケース及び下ケースの開放操作がカバー部材により規制されるため、従来の如く上ケースと下ケースとを分離不能に結合するカシメ構造を省略あるいはその個数を少なくすることができ、その分製造コストの低廉化及び組立作業工数の減少化を図ることができる。
【００１８】
特に、請求項２に係る発明では、上ケースと下ケースとは、カバー部材により開放操作が規制されるだけでなく、このカバー部材の装着箇所であるシール貼り付け面と異なる箇所でも締結具を介して分離不能に結合されるため、その分ケースの不正開放を防止することができ、安全性の向上を図ることができる。
【００１９】
また、請求項３に係る発明では、シール貼り付け面に貼り付けた封印シールの少なくとも一部が不正な開放操作によって剪断力を受けて確実に切断するようになっているため、制御基板ケースの不正開放を容易にかつ確実に目視することができ、安全性の向上を一層図ることができる。
【００２０】
さらに、請求項４に係る発明では、ケースの不正開放時に封印シールが切断し、その目視によって不正開放を検出できるだけでなく、封印シールの切断に伴い箔状アンテナが破断し、それにより通信部からの通信が不能になり、警告が発せられるので、安全性の向上をより一層図ることができる。
【図面の簡単な説明】
【００２１】
【図１】図１は本発明の第１の実施形態に係る遊技機用制御基板ケースの斜視図である。
【図２】図２は上記制御基板ケースの封印シール用カバー部材を組み付ける前の状態を示す斜視図である。
【図３】図３は上記制御基板ケースの分解斜視図である。
【図４】図４は図２のＺ方向から見た斜視図である。
【図５】図５は図１のＸ−Ｘ線における拡大断面図である。
【図６】図６は図５のＥ−Ｅ線における断面図である。
【図７】図７は図５のＦ−Ｆ線における断面図である。
【図８】図８は図１のＹ−Ｙ線における拡大断面図である。
【図９】図９は図８のＧ−Ｇ線における断面図である。
【図１０】図１０は図９に示す状態から締結具を結合位置にまで押し込んだ状態を示す図９相当図である。
【図１１】図１１は図１０に示す状態から締結具のピン部を頭部と破断させながら更に押し込んだ状態を示す図９相当図である。
【図１２】図１２は下ケースの平面図である。
【図１３】図１３は同底面図である。
【図１４】図１４は同右側面図である。
【図１５】図１５は上ケースの平面図である。
【図１６】図１６は同底面図である。
【図１７】図１７は同右側面図である。
【図１８】図１８は締結具を示し、（ａ）は平面図、（ｂ）は（ａ）のＨ−Ｈ線における断面図、（ｃ）は斜視図である。
【図１９】図１９は封印シール用カバー部材の内側上方から見た斜視図である。
【図２０】図２０は同じく封印シール用カバー部材の内側下方から見た斜視図である。
【図２１】図２１はコネクタ用カバー部材を示し、（ａ）は平面図、（ｂ）は左側面図、（ｃ）は右側面図である。
【図２２】図２２は第２の実施形態を示す図２相当図である。
【図２３】図２３は同じく図３相当図である。
【発明を実施するための形態】
【００２２】
以下、本発明を実施するための形態である実施形態を図面に基づいて説明する。
【００２３】
図１ないし図３は本発明の第１の実施形態に係る遊技機用制御基板ケースＡの全体構成を示す。この制御基板ケースＡは、上ケース１と下ケース２とにより内部に収容空間を構成し、この収容空間内に、ＣＰＵ、ＲＯＭやコネクタ４ａ，４ｂ，４ｃ，４ｄ，４ｅ，４ｆなどの電子部品を実装した制御基板５を収容するものである。
【００２４】
上記上ケース１及び下ケース２は、共に透明なポリカーボネイト樹脂などの合成樹脂からなる。下ケース２は、図１２ないし図１４にも示すように、縦方向に沿って延びかつ横方向に互いに所定距離隔てる複数（図では５つ）の縦凸条部１１，１１，…及び横方向に沿って延びかつ縦方向に互いに所定距離隔てる複数（図では５つ）の横凸条部１２ａ，１２ａ，１２ｂ，１２ｂ，１２ｂを有する矩形状の底板部１３と、この底板部１３の互いに対向する２つの長辺及び１つの短辺に沿って形成された側壁部１４ａ，１４ｂ，１４ｃと、この短辺側の側壁部１４ｃから外側方に突出して形成された締結台部１５と、底板部１３の締結台部１５と反対側の短辺から外側方に突出して形成されたシール貼り付け台部１６とを備えてなる。
【００２５】
上記横凸条部１２ａ，１２ｂのうち、側壁部１４ａ又は１４ｂに近接する横凸条部１２ａの高さ寸法は、他の横凸条部１２ｂ及び縦凸条部１１のそれよりも大きく設定されている。この横凸条部１２ａと側壁部１４ａ又は１４ｂとの間にはそれぞれ複数（図では５つ）の係合棒部２１，２１，…が縦方向に所定間隔毎にかつ底板部１３より所定間隙隔てた高さ位置に形成されている。
【００２６】
上記締結台部１５は、側壁部１４ｂの上縁から水平に延びる水平面部１５ａと、この水平面部１５ａから垂直上方に延出する垂直壁部１５ｂとを有している。この締結台部１５の水平面部１５ａには各々後述する締結具５０のピン部５１ｂが挿入可能な２つの挿入穴２２，２２が設けられているとともに、締結台部１５の水平面部１５ａと垂直壁部１５ｂとの隅角部には３つの嵌合穴部２３ａ，２３ｂ，２３ｂが縦方向に所定間隔毎に形成されている。
【００２７】
上記シール貼り付け台部１６は、底板部１３の短辺から水平に延びる水平面部１６ａと、この水平面部１６ａの先端から垂直上方に延出する垂直壁部１６ｂと、この垂直壁部１６ｂの垂直中心線を挟む一方の部分に垂直面部１６ｂを一面として形成された箱型の貼り付け台部本体１６ｃとを有している。また、上記下ケース２の底板部１３の締結台部１５と反対側の短辺には、シール貼り付け台部１６とは別に、シール貼り付け台部１６の水平面部１６ａの中心位置でかつ水平面部１６ａよりも所定寸法高い位置とシール貼り付け台部１６の水平面部１６ａを挟む両側方位置の計３箇所にそれぞれ外側方に突出する嵌合凸部２４が形成されている。
【００２８】
一方、上記上ケース１は、図１５ないし図１７にも示すように、制御基板５のコネクタ４ａ〜４ｆに対応した２箇所に他の部位よりも一段低くなった低段部３１ａ，３１ｂを有する矩形状の天板部３１と、この天板部３１の２つずつの長辺及び短辺にそれぞれ沿って形成された側壁部３２ａ，３２ｂ，３２ｃ，３２ｄと、天板部３１短辺側の一方の側壁部３２ｃから外側方に突出して形成された締結平板部３３と、天板部３１短辺側の他方の側壁部３２ｄから外側方に突出して形成されたシール貼り付け台部３４とを備えてなる。  
【００２９】
上記天板部３１の裏面側（内面側）には制御基板５の１つの対角線上の２つの隅角部をそれぞれネジ止めするための一対のネジ止めボス部３６，３６が形成されている。また、天板部３１長辺側の２つの側壁部３２ａ，３２ｂ間の長さ（つまり上ケース１の短辺長さ）は、下ケース２の底板部１３長辺側の２つの側壁部１４ａ，１４ｂ間の長さ（つまり下ケース２の短辺長さ）よりも若干小さく設定されていて、上ケース１と下ケース２とを突き合わせて閉じるときには、上ケース１の各長辺側側壁部３２ａ，３２ｂは、下ケース２の長辺側側壁部１４ａ，１４ｂの内側に嵌り込むようになっている。この上ケース１の各長辺側側壁部３２ａ，３２ｂの下縁にはそれぞれ上記下ケース２の各係合棒部２１に係合可能な複数（図では５つ）の逆Ｌ字状の係合溝３７，３７，…が所定間隔毎に設けられている。
【００３０】
上記締結平板部３３は、下ケース２の締結台部１５の水平面部１５ａに対応した大きさ及び形状の平板状のものであり、この締結平板部３３には、下ケース２の締結台部１５側の挿入穴２２に対応して２つずつの結合部３８，３８及び貫通孔５８，５８が形成されているとともに、下ケース２の締結台部１５側の嵌合穴部２３ａ，２３ｂに対応して３つの嵌合凸部３９ａ，３９ｂ，３９ｂが外側方に突出して形成されている。
【００３１】
上記シール貼り付け台部３４は、天板部３１の短辺方向に互いに所定距離隔てた側壁部３２ｄの２箇所からそれぞれ垂直に突出する一対の台側壁部３４ａ，３４ｂと、この両台側壁部３４ａ，３４ｂの突出方向中間位置でその上端同士間に架け渡した状態に形成された水平枠３４ｃと、この水平枠３４ｃと側壁部３２ｄと両台側壁部３４ａ，３４ｂとで囲まれた平面視で矩形状の領域を天板部３１の短辺方向に沿って５つの領域に仕切るように水平枠３４ｃと側壁部３２ｄとの間に跨って形成された４つの逆Ｌ字形状の仕切壁部３４ｄ，３４ｅ，３４ｆ，３４ｇと、上記水平枠３４ｃの外側方でかつ水平枠３４ｃの一端（一方の台側壁部３４ａの位置）から水平枠３４ｃの中央部（仕切壁部３４ｅの位置）までの間に形成された断面逆Ｌ字状の貼り付け台部本体３４ｈとを有している。
【００３２】
また、上記上ケース１の天板部３１短辺側の側壁部３２ｄには、図５及び図７に示すように、シール貼り付け台部３４の水平枠３４ｃ中央部の２つの仕切壁部３４ｅ，３４ｆ間の位置及びシール貼り付け台部３４の各台側壁部３４ａ，３４ｂの外側方位置にそれぞれ上記下ケース１の嵌合凸部２４が嵌合可能な嵌合孔４１が設けられている。各台側壁部３４ａ，３４ｂの外側方位置の嵌合孔４１の周囲にはそれぞれこの嵌合孔４１に嵌合する下ケース１の嵌合凸部２４を保護するための囲い部４２ａ，４２ｂが形成されている。
【００３３】
そして、上記上ケース１と下ケース２とを突き合わせて閉じるとき、上ケース１の各長辺側側壁部３２ａ，３２ｂの下縁が下ケース２の底板部１３に、上ケース１の締結平板部３３が下ケース２の締結台部１５の水平面部１５ａにそれぞれ当接した状態から上ケース１と下ケース２とを突き合わせ面に沿って長辺方向に所定距離相対移動させると、上ケース１の各長辺側側壁部３２ａ，３２ｂ下縁の各係合溝３７が下ケース２の底板部１３側の対応する係合棒部２１にそれぞれ係合するととともに、上ケース１の締結平板部３３の各嵌合凸部３９ａ，３９ｂが下ケース２の締結台部１５の対応する嵌合穴部２３ａ，２３ｂに、下ケース２の各嵌合凸部２４が上ケース１の短辺側側壁部３２ｄの対応する嵌合孔４１にそれぞれ嵌合することにより、上ケース１と下ケース２とが仮結合状態に閉じられるようになっている。この仮結合状態から上ケース１と下ケース２とを分離不能に結合する場合には、上ケース１の締結平板部３３の２つの結合部３８，３８の少なくとも一方で締結具５０を用いて上ケース１と下ケース２とを結合する。尚、本実施形態では、遊技機メーカーからホールに出荷する場合に一方の結合部３８で上ケース１と下ケース２とを分離不能に結合し、ホール側で制御基板ケースＡを開放した後ホールから回収する場合に運搬途中で制御基板５の電子部品が取り替えられたり、抜き取られたりするのを防止するために他方の結合部３８で上ケース１と下ケース２とを分離不能に結合する。
【００３４】
上記締結具５０は、図１８に拡大詳示するように、各々別々の合成樹脂からなる締結具本体５１と蓋体５２とで構成されている。締結具本体５１は、先端に第１の係合爪５１ａを有するピン部５１ｂと、このピン部５１ｂの基端側の外周を囲む円筒状の頭部５１ｃと、この頭部５１ｃとピン部５１ｂの基端とをピン部５１ｂの軸線を挟む２個所でそれぞれ連結する連結部５１ｄ，５１ｄ（図８参照）とを備えてなる。第１の係合爪５１ａは、ピン部５１ｂの先端に形成した逆Ｕ字状の溝５３を挟んだ両側の部位に形成されていて、上ケース１の締結平板部３３の貫通孔５８などに挿入されるとき弾性変形して挿入され易くなっている。頭部５１ｃの外周面には、その軸線方向の中央部でかつ軸線を挟む２個所にそれぞれ第２の係合爪５１ｅが形成されているとともに、軸線方向の先端側でかつ円周方向に位相が各第２の係合爪５１ｅと９０度異なる２個所にそれぞれ第３の係合爪５１ｆが形成されている。各第３の係合爪５１ｆは、その左右両側に形成した切り欠き溝５４，５４により弾性変形が容易にし易くなっている。各連結部５１ｄは、全長に亘って狭小で脆弱に形成されており、特に、頭部５１ｃ寄りの部位に幅寸法が他の部位よりも小さい脆弱部（図示せず）を有している。
【００３５】
上記蓋体５２は、透明なものであり、締結具本体５１の基端面に頭部５１ｃ及びその内側を覆った状態で接着剤により固着されている。この蓋体５２には、直径が締結具本体５１のピン部５１ｂの直径と略同一の凹球面状の押圧部５２ａが形成されているとともに、この押圧部５２ａの外周を囲む環状の脆弱部５２ｂが蓋体５２の外面及び内面の両方を切り欠いて形成されている。
【００３６】
一方、上記各結合部３８は、図８及び図９に詳示するように、それぞれ締結具５０（詳しくはその締結具本体５１）の頭部５１ｃが嵌合可能な有底円筒状に形成されており、その深さは締結具５０の頭部５１ｃの軸線方向の長さ寸法と略同一又はそれよりも若干大きく設定されている。この各結合部３８の内周面には、開口寄りの軸線を挟む２個所にそれぞれ、図８に示す如く締結具５０の頭部５１ｃが結合部３８内に浅く嵌合する仮止め状態のとき上記各第３の係合爪５１ｆが係合する仮止め用の段差部５６が形成されているとともに、深さ方向の中央部でかつ円周方向に位相が各仮止め用の段差部５６と９０度異なる２個所にそれぞれ、図１０に示す如く締結具５０の頭部５１ｃが結合部３８内に嵌合した結合状態のとき上記各第２の係合爪５１ｅが係合する結合用の段差部５７が形成されている。
【００３７】
上記下ケース２の締結台部１５には、その水平面部１５ａの下方に挿入穴２２に連通する収納室６１が形成されている。そして、図８及び図９に示す如き締結具５０の仮止め状態から締結具５０を作業者の親指６２などで押し下げ、締結具５０の頭部５１ｃが結合部３８内に嵌合する結合状態のときには、図１０に示す如く締結具５０のピン部５１ｂの先端部が結合部３８の貫通孔５８から挿入穴２２を通して収容室６１内にまで挿入され、締結具５０の第１の係合爪５１ａが挿入穴２２周辺に係合し、また、締結具５０の各第２の係合爪５１ｅが結合用の段差部５７に係合することにより、上ケース１の結合部３８と下ケース２の締結台部１５とが締結具５０により分離不能に結合される。この結合状態を解除し、上ケース１と下ケース２とを開放するときには、図１０及び図１１に示すように、ドライバーなどの工具６３の先端を締結具５０の蓋体５２の押圧部５２ａに当てて押圧すると、蓋体５２の脆弱部５２ｂ及び締結具本体５１の連結部５１ｄが共に破断し、締結具５０の頭部５１ｃは上ケース１の結合部３８内に嵌合した状態のまま残り、締結具５０のピン部５１ｂなどが上ケース１の結合部３８の貫通孔５８から下ケース２の締結台部１５の収容室６１内に抜け落ちて収容されることにより結合状態が解除される。
【００３８】
上述した上ケース１と下ケース２の仮結合状態のとき、上ケース１のシール貼り付け台部３４側では、図４ないし図７にも示すように、上ケース１のシール貼り付け台部３４の貼り付け台部本体３４ｈと下ケース２のシール貼り付け台部１６の貼り付け台部本体１６ｃとが共に上ケース１と下ケース２との突き合わせ部より側方に突出する突出部として互いに横並びに隣接し合うようになっており、この両貼り付け台部本体３４ｈ，１６ｃにより、ケース開放操作によって切断する封印シール６５を貼り付けるための直交する２面（水平面及び垂直面）よりなるシール貼り付け面６６が形成されている。また、上ケース１のシール貼り付け台部３４及び下ケース２のシール貼り付け台部１６には、上ケース１と下ケース２の仮結合状態ないし閉状態で両者に跨って延びる５つの穴部６７ａ，６７ｂ，６７ｃ，６７ｄ，６７ｅが上ケース１の側壁部３２ｄと上ケース１のシール貼り付け台部３４の台側壁部３４ａ，３４ｂ、水平枠３４ｃ及び仕切壁部３４ｄ〜３４ｇと下ケース２のシール貼り付け台部１６の垂直壁部１６ｂとによって構成されるようになっている。
【００３９】
上記封印シール６５は、シール貼り付け面６６の水平面部分でケース開放操作、特に上ケース１と下ケース２との突き合わせ面に沿った相対移動によって剪断力を受けるようになっている。また、封印シール６５は、このシール貼り付け面６６の水平面部分に対応する部位の裏面に接着されかつ両貼り付け台部本体３４ｈ，１６ｃに跨って延びる箔状アンテナ６８と、この箔状アンテナ６８を介して外部機器と通信可能な通信部としてのＩＣチップ６９とを有するいわゆるＩＣタグであり、箔状アンテナ６８は、封印シール６５の切断に伴い破断するようになっている。
【００４０】
上記両シール貼り付け台部３４，１６には、シール貼り付け面６６に貼り付けた封印シール６５の全部を被覆する透明な合成樹脂製の封印シール用カバー部材７０が装着されている。このカバー部材７０は、図１９及び図２０に拡大詳示するように、高段部７１ａと低段部７１ｂとで段差状に形成された上面壁７１と、この上面壁７１の低段部７１ｂの一端から垂下する正面壁７２と、上面壁７１の左右両端からそれぞれ垂下する左右２つの側面壁７３，７４と、上面壁７１の高段部７１ａの左右両端部にそれぞれ側面壁７３，７４と所定間隙隔てて垂下しかつ上記両シール貼り付け台部３４，１６の穴部６７ａ，６７ｅに各々挿入可能な左右２つの結合部７５，７６と、上面壁７１の高段部７１ａの中央部にそれぞれ垂下しかつ上記両シール貼り付け台部３４，１６の穴部６７ｂ，６７ｄに各々挿入可能な左右２つのロックピン部７７，７８とを有している。
【００４１】
上記各結合部７５，７６の先端には、図５に示すように、カバー部材７０の装着時に上ケース１のシール貼り付け台部３４の台側壁部３４ａ，３４ｂに各々形成した段差部８１，８２に係合するフック部７５ａ，７６ａが形成されており、このフック部７５ａ，７６ａの係合によりカバー部材７０が上ケース１に分離不能に結合されるようになっている。一方、各結合部７５，７６の基端が接続される上面壁７１の高段部７１ａの左右両端部にはそれぞれ高段部７１ａの中央部よりも上方に突出しかつ肉厚が比較的薄い凸部８３が形成され、この凸部８３を外部よりニッパやカッターなどの工具を用いて切断することでカバー部材７０が取り外し可能に設けられているとともに、その切断部分が痕跡として外部から目視可能に設けられている。
【００４２】
上記各ロックピン部７７，７８の基端側部分は断面コ字状に形成され、各ロックピン部７７，７８の先端側部分は、互いに所定の距離隔てて対向する２つの側壁部７７ａ，７７ｂ又は７８ａ，７８ｂにより構成されている。そして、この各ロックピン部７７，７８をそれぞれ上記両シール貼り付け台部３４，１６の対応する穴部６７ｂ，６７ｄに挿入してカバー部材７０が装着されたときには、上ケース１と下ケース２との閉状態から突き合わせ面に沿った相対移動が上記両ロックピン部７７，７８により規制され、上ケース１及び下ケース２の開放操作が規制されるようになっている。
【００４３】
さらに、上記上ケース１の天板部３１の２つの低段部３１ａ，３１ｂのうち、一方の低段部３１ａには、制御基板５のコネクタ４ａ，４ｂなどの各電子部品にそれぞれ対応して複数（図では４つ）の開口８５ａ，８５ｂ，８５ｃ，８５ｄが設けられており、他方の低段部３１ｂには、制御基板５のコネクタ４ｃ〜４ｆが遊技機の機種変更に伴って大きさ及び形状などが変更されることに対応して、低段部３１ｂの略全面に広がる細長い矩形状の開口８６が設けられているとともに、この開口８６と制御基板５のコネクタ４ｃ〜４ｆとの隙間を覆うコネクタ用カバー部材９０が装着されている。
【００４４】
上記コネクタ用カバー部材９０は、上ケース１と同じく透明又は半透明な合成樹脂からなる。このカバー部材９０は、図２１に拡大詳示するように、制御基板５のコネクタ４ｃ〜４ｆにそれぞれ対応した複数（図では４つ）の開口９１ａ，９１ｂ，９１ｃ，９１ｄが形成された細長い矩形状のカバー本体９２と、このカバー本体９２の１つの長辺及び２つの短辺にそれぞれ沿って形成された３つの垂直壁９３ａ，９３ｂ，９３ｃとを有している。カバー部材９０のカバー本体９２には垂直壁９３ｃに近接してネジ挿入孔９４が設けられている。そして、カバー部材９０の垂直壁９３ａ〜９３ｃのないカバー本体９２の長辺側を制御基板５の長辺に沿わせた状態でカバー本体９０を制御基板５上に載せ、制御基板５を上ケース１の天板部３１裏面側のネジ止めボス部３６にネジ止めするときネジを上記ネジ挿入孔９４に挿入することでカバー部材９０が共止めされるようになっている。
【００４５】
次に、上記遊技機用制御基板ケースＡの作用効果を説明するに、上ケース１と下ケース２とを突き合わせた状態から突き合わせ面に沿って長辺方向に相対移動させて仮結合状態に閉じた後、封印シール用カバー部材７０の結合部７５，７６及びロックピン部７７，７８を、上ケース１のシール貼り付け台部３４と下ケース２のシール貼り付け台部１６とに跨って形成された５つの穴部６７ａ〜６７ｅのうちの対応する穴部にそれぞれ挿入して封印シール用カバー部材７０を装着したときには、カバー部材７０の各結合部７７，７８先端のフック部７５ａ，７６ａがそれぞれ上ケース１のシール貼り付け台部３４の段差部８１，８２に係合してカバー部材７０が上ケース１に分離不能に結合されるだけでなく、このカバー部材７０のロックピン部７７，７８により上ケース１と下ケース２との突き合わせ面に沿った長辺方向の相対移動が規制され、上ケース１及び下ケース２の開放操作が規制される。このため、従来の如く上ケース１及び下ケース２のシール貼り付け台部３４，１６側で両ケース１，２を分離不能に結合するためのカシメ構造を採用する必要はなく、その分部品点数を少なくすることができるとともに、組立作業の工数を少なくすることができ、製造コストの低廉化及び組立作業の簡易化を図ることができる。
【００４６】
しかも、上記上ケース１と下ケース２とは、そのシール貼り付け台部３４，１６側で封印シール用カバー部材７０により開放操作が規制されるだけでなく、シール貼り付け台部３４，１６と反対側の締結平板部３３上の少なくとも１つの結合部３８で締結具５０を介して分離不能に結合されるため、その分制御基板ケースＡの不正開放を防止することができ、安全性の向上を図ることができる。
【００４７】
また、上記上ケース１及び下ケース２の各シール貼り付け台部３４，１６は、両ケース１，２の突き合わせ部の一部分である上ケース１の側壁部３２及び下ケース２の底板部１３の短辺からそれぞれ側方に突出し、その貼り付け台部本体３４ｈ、１６ｃ同士が互いに横並びで隣接し、この両貼り付け台部本体３４ｈ，１６ｃにより封印シール６５を貼り付けるためのシール貼り付け面６６が形成されているため、このシール貼り付け面６６に貼り付けた封印シール６５は、制御基板ケースＡの開放操作、特に不正な開放操作によって少なくとも一部が剪断力を受けて確実に切断されることになり、制御基板ケースＡの不正開放を容易にかつ確実に目視することができ、安全性の向上を一層図ることができる。
【００４８】
さらに、上記封印シール６５は、箔状アンテナ６８を介して外部機器と通信可能なＩＣチップ６９を有するいわゆるＩＣタグであり、その箔状アンテナ６８は、封印シール６５の剪断力を受ける部分に貼り付けられているため、制御基板ケースＡの不正開放時には封印シール６５が切断し、その目視によって不正開放を検出できるだけでなく、封印シール６５の切断に伴い箔状アンテナ６８が破断し、それによりＩＣチップ６９からの通信が不能になり、警告が発せられる。この結果、安全性の向上をより一層図ることができる。
【００４９】
図２２及び図２３は本発明の第２の実施形態に係る遊技機用制御基板ケースＢの全体構成を示す。この制御基板ケースＢは、上ケース１０１と下ケース１０２とにより内部に収容空間を構成し、この収容空間内に、ＣＰＵ、ＲＯＭ（共に図示せず）やコネクタ１０４ａ，１０４ｂ，１０４ｃなどの電子部品を実装した制御基板１０５を収容するものである。
【００５０】
上記上ケース１０１及び下ケース１０２は、共に透明なポリカーボネイト樹脂などの合成樹脂からなる。下ケース１０２は、矩形状の底板部１１１と、この底板部１１１の四辺にそれぞれ形成された４つの側壁部１１２ａ，１１２ａ，１１２ｂ，１１２ｂと、底板部１１１短辺側の互いに対向する２つの側壁部１１２ａ，１１２ａにそれぞれ外側方に突出して形成された一対の突出部１１３，１１３とを備えている。各突出部１１３は、上面が開口する箱形のものであり、この各突出部１１３の下面部には、図示していないが、後述するカバー部材１３０の結合凸部１３１が嵌合可能な嵌合孔が設けられている。
【００５１】
上記上ケース１０１は、矩形状の天板部１２１と、この天板部１２１の四辺にそれぞれ形成された４つの側壁部１２２ａ，１２２ｂと、天板部１２１短辺側の互いに対向する２つの側壁部１２２ａにそれぞれ外側方に突出して形成された一対の突出部１２３，１２３とを備えてなる。天板部１２１には制御基板１０５のコネクタ１０４ａ〜１０４ｃにそれぞれ対応して複数（図では３つの）の開口１２４ａ，１２４ｂ，１２４ｃが設けられ、これらの開口１２４ａ〜１２４ｃからコネクタ１０４ａ〜１０４ｃを外部に突出させた状態で天板部１２１の裏面側に制御基板１０５がネジ止めにより固定されるようになっている。各突出部１２３は、下面が開口する箱形のものであり、この各突出部１２３の上面部には、後述するカバー部材１３０の結合凸部１３１が嵌合可能な嵌合孔１２５が設けられている。
【００５２】
そして、上ケース１０１と下ケース１０２とを突き合わせて閉じるとき、下ケース１０２の各側壁部１１２ａ，１１２ｂと上ケース１０１の各側壁部１２２ａ，１２２ｂとが互いに重なり合うとともに、下ケース１０２の各突出部１１３と上ケース１０１の各突出部１２３とが互いに重なり合うようになっている。この下ケース１０２の少なくとも１つの突出部１１３と上ケース１０１のこれと重なり合う突出部１２３とは、ケース開放操作によって切断する封印シール１２６を貼り付けるための３面よりなるシール貼り付け面１２７を形成するようになっており、このシール貼り付け面１２７に貼り付けた封印シール１２６の全部を被覆する透明なカバー部材１３０が両ケース１０１，１０２の１つの突き合わせ部である突出部１１３，１２３に装着されている。また、封印シール１２６を貼り付けない両ケース１０１，１０２の突出部１１３，１２３にも同一のカバー部材１３０が装着されている。
【００５３】
上記各カバー部材１３０は、一側面が開口した箱形のものであり、この各カバー部材１３０の上面及び下面にはそれぞれ、上ケース１０１の突出部１２３の嵌合孔１２５又は下ケース１０２の突出部１１３の嵌合孔に嵌合して上ケース１０１又は下ケース１０２に分離不能に結合する結合部としての結合凸部１３１が形成されているとともに、この結合凸部１３１を挟む２箇所に一対のスリット孔１３２，１３２が設けられている。そして、各カバー部材１３０が両ケース１０１，１０２の突出部１１３，１２３に装着されたときには、カバー部材１３０の各結合凸部１３１がそれぞれ上ケース１０１の突出部１２３の嵌合孔１２５又は下ケース１０２の突出部１１３の嵌合孔に嵌合することにより、カバー部材１３０が分離不能に結合され、このカバー部材１３０は、上記スリット孔１３２付近ないし結合凸部１３１付近をニッパなどの工具を用いて切断することで取り外し可能に設けられているとともに、その切断箇所が痕跡として外部から目視可能に設けられている。また、カバー部材１３０は、上記両ケース１０１，１０２の突出部１１３，１２３への装着状態で上ケース１０１及び下ケース１０２の開放操作を規制するように設けられている。
【００５４】
従って、上記遊技機用制御基板ケースＢにおいては、上ケース１０１と下ケース１０２とを突き合わせて閉じた後、この両ケース１０１，１０２の突出部１１３，１２３により形成されたシール貼り付け面１２７に封印シール１２６を貼り付け、この封印シール１２６を被覆するカバー部材１３０を突出部１１３，１２３に装着したときには、カバー部材１３０の上下面の各係合凸部１３１が両ケース１０１，１０２の各突出部１１３，１２３の嵌合孔１２５に嵌合してカバー部材１３０が分離不能に結合されるだけでなく、このカバー部材１３０により上ケース１０１及び下ケース１０２の開放操作が規制される。このため、従来の如く上ケース１０１及び下ケース１０２のシール貼り付け面１２７を形成する突出部１１３，１２３側で両ケース１０１，１０２を分離不能に結合するためのカシメ構造を採用する必要はなく、その分部品点数を少なくすることができるとともに、組立作業の工数を少なくすることができ、製造コストの低廉化及び組立作業の簡易化を図ることができる。
【００５５】
しかも、上記上ケース１と下ケース２とは、シール貼り付け面１２７を形成しない突出部１１３，１２３にも同様のカバー部材１３０が装着され、このカバー部材１３０により開放操作が規制されるため、換言すればカバー部材１３０を介して分離不能に結合されるため、その分制御基板ケースＢの不正開放を防止することができ、安全性の向上を図ることができる。
【００５６】
尚、本発明は上記第１及び第２の実施形態に限定されるものではなく、その他種々の形態を包含するものである。例えば上記各実施形態では、封印シール用カバー部材７０に形成した結合部７５，７６のフック部７５ａ，７６ａが上ケース１のシール貼り付け台部３４の段差部８１，８２に係合してカバー部材７０が分離不能に結合したり、カバー部材１３０に形成した結合凸部１３１が上ケース１０１及び下ケース１０２の各突出部１１３，１２３の嵌合孔１２５に嵌合してカバー部材１３０が分離不能に結合したりする構成にしたが、本発明は、このような構成に限らず、ワンウエイネジなどの締結具を用いてカバー部材の結合部を上ケース又は下ケースに分離不能に結合するように構成してもよい。
【００５７】
また、上記第１の実施形態では、封印シール用カバー部材７０により上ケース１と下ケース２との開放操作を規制することとは別に、上ケース１の封印シール貼り付け面と異なる箇所である締結平板部３３上に２つの結合部３８，３８を形成し、この各結合部３８で締結具５０を介して上ケース１と下ケース２とを分離不能に結合するように構成したが、本発明は、上記結合部３８を省略したり、あるいは１つ又は３つ以上形成したりしても良いのは勿論である。
【００５８】
さらに、上記第１の実施形態では、封印シール６５として、箔状アンテナ６８を介して外部機器と通信可能なＩＣチップ６９を有してなるＩＣタグを用いるに当たり、箔状アンテナ６８を、シール貼り付け面６６の水平面部分に対応する封印シール６５の部位の裏面に接着したが、本発明は、この封印シール６５の部位に限らず、シール貼り付け面６６を構成する上ケース１側の貼り付け台部本体３４ｈと下ケース２側の貼り付け台部本体１６ｃとの突き合わせラインと箔状アンテナ６８の一部が交差するように箔状アンテナ６８を封印シール６５の裏面に接着しても良いのは勿論である。
【００５９】
加えて、上記第２の実施形態では、上ケース１０１と下ケース１０２とをカバー部材１３０により分離不能に結合するように構成したが、本発明は、この上ケース１０１と下ケース１０２とを、カバー部材１３０による結合箇所と別の箇所で第１の実施形態の如き締結具５０又はこれに代わるワンウエイネジなどを用いて分離不能に結合し、不正行為の防止化を高めるようにしても良い。
【符号の説明】
【００６０】
Ａ，Ｂ    遊技機用制御基板ケース
１，１０１    上ケース
２，１０２    下ケース
５，１０５    制御基板
１６，３４    シール貼り付け台部
１６ｃ，３４ｈ    貼り付け台部本体（突出部）
５０    締結具
６５，１２６    封印シール
６６，１２７    シール貼り付け面
６７ａ，６７ｅ    穴部
６８    箔状アンテナ
６９    ＩＣチップ（通信部）
７０    封印シール用カバー部材
７５，７６    結合部
７７，７８    ロックピン部
１１３，１２３    突出部
１３０    カバー部材
１３１    結合凸部（結合部）
【図１】
0005573207.tif 000002
【図２】
0005573207.tif 000003
【図３】
0005573207.tif 000004
【図４】
0005573207.tif 000005
【図５】
0005573207.tif 000006
【図６】
0005573207.tif 000007
【図７】
0005573207.tif 000008
【図８】
0005573207.tif 000009
【図９】
0005573207.tif 000010
【図１０】
0005573207.tif 000011
【図１１】
0005573207.tif 000012
【図１２】
0005573207.tif 000013
【図１３】
0005573207.tif 000014
【図１４】
0005573207.tif 000015
【図１５】
0005573207.tif 000016
【図１６】
0005573207.tif 000017
【図１７】
0005573207.tif 000018
【図１８】
0005573207.tif 000019
【図１９】
0005573207.tif 000020
【図２０】
0005573207.tif 000021
【図２１】
0005573207.tif 000022
【図２２】
0005573207.tif 000023
【図２３】
0005573207.tif 000024